(57)【要約】【課題】構成部品が少なく、再利用が可能で、廃材を削減できる梱包箱を提供する。【解決手段】箱本体２とそれに合わせられる蓋体３とからなり、前記箱本体２内には、複数の仕切り部５ａが一方向に並べて設けられると共に、これらの仕切り部５ａに跨って弾性シート６が張られ、前記仕切り部５ａに対し略直角をなす仕切り部５ｂが複数並べて設けられ、これらの仕切り部５ｂに跨って弾性シート７が張られており、前記蓋体３には、前記仕切り部５ａ間及び仕切り部５ｂ間において前記箱本体２側の２つの弾性シート６、７で支えられる物品１０を弾力的に押える弾性シート９が備えられている。【選択図】図１
2008068906.tif 000002
【特許請求の範囲】
【請求項１】
箱本体とそれに合わせられる蓋体とからなり、前記箱本体には、複数の第１仕切り部が一方向に並べて設けられると共に、複数の第１仕切り部に跨って弾性シートが設けられ、前記第１仕切り部に対し略直角をなす第２仕切り部が複数並べて設けられ、複数の第２仕切り部に跨って弾性シートが設けられており、前記蓋体には、前記第１仕切り部間及び第２仕切り部間において前記２つの弾性シートで支えられる物品に当たって物品を弾力的に押える弾性シートが備えられていることを特徴とする梱包箱。
【請求項２】
前記箱本体における前記第１仕切り部の両側に、前記第１仕切り部に対し略直角となる第２仕切り部がそれぞれ複数設けられ、前記第２仕切り部にそれぞれ弾性シートが設けられ、前記蓋体には、前記第１仕切り部間及び２つの第２仕切り部間において前記３つの弾性シートで支えられる物品に当たって物品を弾力的に押える弾性シートが備えられていることを特徴とする請求項１記載の梱包箱。
【請求項３】
前記箱本体又は前記蓋体の少なくとも一方に内部を視認するための窓が設けられていることを特徴とする請求項１または請求項２記載の梱包箱。
【請求項４】
前記箱本体及び前記蓋体の少なくとも一方が展開して折り畳み可能であることを特徴とする請求項１から請求項３のうちのいずれか１項記載の梱包箱。
【発明の詳細な説明】
【技術分野】
【０００１】
この発明は、物品を収納する梱包箱に関する。
【背景技術】
【０００２】
通常物品を輸送するには、物品は、その物品の形状に合った緩衝材で覆われ、それが木材製、ダンボール製の梱包箱に収納される。緩衝材は外部からの衝撃や振動を緩和するもので、発泡スチロールやパルプモールドなどが使われる。発泡スチロールやパルプモールドなどは、従来それを成形するための金型を製作し、各物品対応での専用部材として物品ごとに開発・製作されていた。金型は高価であることから、それが緩衝材の価格に加算され、ひいては製品の価格にも影響していた。
【０００３】
発泡スチロールやパルプモールドなどの緩衝材は、開梱後梱包箱と同様に廃棄されているが、廃棄物の発生抑制及びリサイクルという観点からは好ましくない。
【０００４】
また、通常、梱包箱は折り畳み可能な形状、構造であるのに対し、緩衝材は折り畳みなどができず、輸送の嵩を軽減することができないことから輸送費が嵩み、それがひいては緩衝材の価格にも影響している。さらに、開梱後緩衝材を処分する際にも緩衝材の嵩が処分を面倒なものとし、経費もかかるものとしている。
【０００５】
発泡スチロールやパルプモールドなどの緩衝材を使わずに、フィルムや布などを緩衝材として用いることも考えられており、例えば、特許文献１には、ダンボール箱などの外箱内において、エラスチック薄膜で物品を吊るすように保持する包装緩衝機構が開示されている。
【０００６】
【特許文献１】特開２００４−２８４６０９号公報
【発明の開示】
【発明が解決しようとする課題】
【０００７】
しかし、特許文献１に開示の包装緩衝機構は、多数の板材を要し、物品を梱包するための工数も多く、梱包作業は決して簡潔ではないという課題があった。
【０００８】
この発明は、上記のような従来の課題を解消するためになされたもので、構成部品を少なくして簡潔な構造とし、かつ構成部品を再利用できるようにして廃材を削減し、更に収納作業も容易な梱包箱を提供することを目的とする。
【課題を解決するための手段】
【０００９】
この発明に係る梱包箱は、箱本体とそれに合わせられる蓋体とからなり、前記箱本体内には、複数の第１仕切り部が一方向に並べて設けられる共に、これら複数の第１仕切り部に跨って弾性シートが設けられ、前記第１仕切り部に対し略直角をなす第２仕切り部が複数並べて設けられ、これら複数の第２仕切り部に跨って弾性シートが設けられており、前記蓋体には、前記第１仕切り部間及び第２仕切り部間において前記２つの弾性シートで支えられる物品に当たって物品を弾力的に押える弾性シートが備えられてなる。
【発明の効果】
【００１０】
この発明に係る梱包箱によれば、仕切り部及び弾性シートを備えた箱本体と弾性シートを備えた蓋体とからなるので、構成が極めて簡素化され、緩衝材を用いた従来のダンボール箱梱包などと比べると構成部品を削減することができる。物品は、箱本体内で略直角をなす２つの弾性シート及び蓋内の弾性シートより、３点で弾力的に保持されるので、安全確実に物品を保持するこができる。仕切り部間にそれぞれ物品を収納できるので、多数個の物品を収納することができる。箱本体側の２つの弾性シート及び蓋体側の弾性シートが緩衝材となり、これらは繰り返し使用できるもので、リサイクルの上で極めて好ましく、しかも、発泡スチロールやパルプモールドなどの緩衝材が不要となって廃材を削減でき、環境に配慮したものとなる。緩衝材が不要となるので、金型等を用いた高価な部品がなくなり、コストの面でも有利となる。
【発明を実施するための最良の形態】
【００１１】
実施の形態１．
以下、この発明の実施の形態１を、図面を参照しながら詳細に説明する。図１は実施の形態１に係る梱包箱の分解図であり、図２はその梱包箱を組み立てた状態の概略斜視図である。図３は梱包箱を組み立てる前の概略横断面図であり、図４は組み立てた状態の概略横断面図、図５は箱本体内に物品を置いた状態の概略正面図である。
【００１２】
梱包箱１は、箱本体２とそれに合わせられる蓋体３とからなる。箱本体２の外郭は、横断面形状がＬ型をなす箱本体外殻部４により形成されている。箱本体外郭部４は、床面部４ａと、その一側に直角に立てられた側面部４ｂとを有している。床面部４ａの両端には、床面部４ａに対し直角をなす端面部４ｃが設けられ、側面部４ｂの両端には、側面部４ｂに対し直角をなす三角形状の端面部４ｄが設けられている。箱本体外郭部４はダンボールなどで一体に形成される。
【００１３】
箱本体外郭部４の床面部４ａ及び側面部４ｂには、複数の仕切り部が設けられるが、仕切り部としては図６（ａ）に示すように、床面部４ａに設けられる複数の凸状の仕切り部５ａ（第１仕切り部）と側面部４ｂに設けられる複数の山形の仕切り部５ｂ（第２仕切り部）とが形成された仕切り部材５が用いられる。この仕切り部材５は、仕切り部５ａと仕切り部５ｂとの間で直角をなすように折り曲げられ、その状態で、箱本体外郭４内に収納される。箱本体外郭４の床面部４ａ及び側面部４ｂに複数の仕切り部５ａ又は５ｂが一方向に並んだ状態となる。隣り合う仕切り部５ａ間、又は５ｂ間が、物品の収納部となる。仕切り部を設ける手段としては、上述のように別部材で形成するだけでなく、箱本体外郭部４の床面部４ａ、４ｂの内面に直接形成してもよい。
【００１４】
一方向に並んだ複数の仕切り部５ａ及び５ｂすべてに跨って、それぞれ弾性シート６、７が張られる。弾性シート６、７は、図５に二点鎖線で示すように少したるみを持たせた状態となっている。弾性シート６、７としては、薄く、強くかつ振動吸収性（弾力性）に富むことなどが要求され、例えば熱可塑性ポリウレタンなどが使われる。弾性シート６、７は、仕切り部材６の両端に、接着剤その他の手段により固定される。
【００１５】
蓋体３の外郭は、箱本体外郭部４と同様の横断面形状がＬ型をなす蓋体外郭部８により構成される。蓋体外郭部８は、天井部８ａと、その一側から垂下された側面部８ｂとからなっている。天井部８ａの両端には、天井部８ａに対し直角をなす端面部８ｃが設けられ、側面部８ｂの両端には、側面部８ｂに対し直角をなす三角形状をなす端面部８ｄが設けられている。蓋体外郭部８はダンボールなどで一体に形成される。図１（ａ）は蓋体３を外側から見た様子、図１（ｄ）は内側から見た様子を示している。
【００１６】
蓋体外郭部８の天井部８ａから側面部８ｂにかけて斜めに弾性シート９が張られている。弾性シート９としては、前述の弾性シート６、７と同様、薄く、強くかつ振動吸収性（弾力性）に富むことなどが要求され、例えば熱可塑性ポリウレタンなどが使われる。弾性シート９の両側部９ａ、９ｂは、天井部８ａ及び側面部８ｂの内面に、接着剤その他の手段により固定される。
【００１７】
次に、この梱包箱１による物品の梱包について説明する。
図３、５に示すように、物品１０は仕切り部５ａ間において弾性シート６上に置かれると共に、仕切り部５ｂ間の弾性シート７にあてがわれる。図３、５に、物品１０が置かれる前の弾性シート６及び７の状態を二点鎖線で示し、物品１０が置かれた後の弾性シート６、７の状態（位置）を実線で示す。弾性シート６、７は撓み、物品１０は弾力的に支持された状態となる。
【００１８】
次に、蓋体３が箱本体２にかぶせられ、図２に示す状態とされる。蓋体３が箱本体２にかぶせられることにより、図４に示すように、蓋体３側の弾性シート９が、箱本体２内の弾性シート６、７により保持されていた物品１０の角部に当たって物品１０の形状に沿って変形し、物品１０を箱本体２側の弾性シート６、７に対し弾力的に押し付ける。すなわち、物品１０は図４中に矢印で示すように三方向から弾力的に支持されることになり、極めて安定した状態で支持されることになる。しかも、弾性シート６、７、９と、箱本体３の床面部４ａ、側面部４ｂ及び蓋体３の天井部８ａ、側面部８ｂとの間には十分な空間が確保されているので、物品１０が揺れても床面部４ａ、側面部４ｂ、天井部８ａ、側面部８ｂに当たることはない。
【００１９】
上記のように物品１０を梱包した状態で、箱本体２と蓋体３とが、分離しないように両者はなんらかの結合手段により結合される。結合手段としては種々のものが考えられる。例えば梱包箱１の周囲にテープを巻き付ける、ゴムなどの弾力性を有するリングを嵌める、などが考えられる。なお、箱本体２と蓋体３が合わせられると、端面の三角形状の端面部４ｄ、８ｄの端部同士が重ね合わされる。
【００２０】
この梱包箱１による物品の輸送後、結合手段を外して箱本体２から蓋体３を分離する。箱本体２から蓋体３を分離することにより、図３に示す状態となり、物品１０が箱本体２から取り出せる状態となる。
【００２１】
物品１０を取り出した後、箱本体２、蓋体３は回収される。箱本体２から仕切り部材５が取り外される。仕切り部材５は、図６（ａ）に示すように直角に折り曲げられた状態から水平に伸ばされ、更に図６（ｂ）に示すように山形の仕切り部５ａ、５ｂが平坦となるように展開される。展開された仕切り部材５は、そのまま搬送されるが、搬送に適した大きさに更に折り畳まれる。弾性シート６、７は仕切り部材５に張られたままでよい。蓋体２は、図７（ａ）に示すように蓋体外郭部８の天井部８ａの両端の端面部８ｃが伸ばされ、側面部８ｂの両端の三角形状の端面部８ｄが伸ばされた後、図７（ｂ）に示すように、弾性シート９が張られたまま天井部８ａと側面部８ｂとを合わせるように折り畳まれる。箱本体外郭部４も、蓋体３と同様に展開されてから折り畳まれる。
【００２２】
梱包箱１は、箱本体２及び蓋体３が以上のように折り畳まれた状態で回収され、再度組み立てられて使用される。
【００２３】
この実施の形態１に係る梱包箱１によれば、箱本体２と蓋体３とからなるので、構成が極めて簡素化され、構成部品が極めて少なくなる。物品１０は、箱本体２内の略直角をなす２つの弾性シート６、７及び蓋体３内の弾性シート９より、３点で弾力的に保持されるので、梱包箱１に衝撃力が加わったとしても、衝撃力は弾性シート６、７及び弾性シート９により吸収され、物品１０は安全確実に保持される。各仕切り部５ａ及び５ｂ間にそれぞれ物品１０を収納できるので、多数の物品１０を収納することができる。箱本体２と蓋体３は回収して再使用できるので、リサイクルの面ですぐれている。繰り返し使用できる弾性シート６、７及び弾性シート９が緩衝材となるので、発泡スチロールやパルプモールドが不要となり廃材を削減でき、環境に配慮したものとなり、緩衝材が不要となることから、金型等を用いた高価な部品がなくなり、コストの面でも有利となる。
【００２４】
実施の形態２．
図８には実施の形態２に係る梱包箱の蓋体１１を内側及び外側から見た様子を示す。蓋体１１の基本的構成は、実施の形態１に係る梱包箱１の蓋体３と同じである。つまり、蓋体１１の外郭は、箱本体外郭部４と同様の形状をなす蓋体外郭部８により構成される。蓋体外郭部８は、天井部８ａと、その一側から垂下された側面部８ｂとからなっている。天井部８ａの両端には、天井部８ａに対し直角をなす端面部８ｃが設けられ、側面部８ｂの両端には、側面部８ｂに対し直角をなす三角形状をなす端面部８ｄが設けられている。蓋体外郭部８の天井部８ａから側面部８ｂにかけて斜めに弾性シート９が張られている。この蓋体１１の蓋体外郭部８の天井部８ａに窓１２が設けられる。窓１２は孔のあいたままでもよいが、内部に異物等が侵入しないように透明などの透過性のフィルム１３を貼っておくことが望ましい。弾性シート９も同様に透過性のあるものとする。この実施の形態２に係る梱包箱の箱本体の構造は、実施の形態１のものと同じである。
【００２５】
この実施の形態２に係る梱包箱によれば、実施の形態１に係る梱包箱による効果に加えて、窓１２を通して内部の物品を視認することができるので、梱包後においても内部の物品自体、その銘板などを確認できるという効果を奏する。
【００２６】
実施の形態３．
図９には、実施の形態３に係る梱包箱２１を分解した状態を示す。この梱包箱２１は、箱本体２２と蓋体２３とからなる。図９（ｃ）に示すように、箱本体２１の外郭を構成する箱本体外郭部２４は、実施の形態１に係る梱包体１における箱本体外郭４の床面部４ａ、側面部４ｂと、蓋体３の天井部３ａとを一体化した構造をなしている。つまり、箱本体外郭部２４は、床面部２４ａと、その一側部に床面部２４ａに対しほぼ直角をなす側面部２４ｂと、床面部２４ａのもう一方の側部に回動可能につなげられた回動側面部２４ｃとからなる。図９には回動側面部２４ｃが床面部床面部２４ａと同様に水平になった状態を示している。床面部２４ａ、側面部２４ｂ、回動側面部２４ｃの両端には、それぞれ端面部２４ｄ、２４ｅ、２４ｆが設けられている。
【００２７】
箱本体外郭部２４の床面部２４ａには、複数の山形の仕切り部２５ａ（第１仕切り部）が設けられ、側面部２４ｂ及び回動側面部２４ｃにもそれぞれ複数の山形の仕切り部２５ｂ（第２仕切り部）、２５ｃ（第２仕切り部）が設けられている。仕切り部２５ａ、２５ｂ、２５ｃは、床面部２４ａ、側面部２４ｂ及び回動側面部２４ｃに直接形成してもよいが、図６に示したように別部材として構成し、床面部２４ａ、側面部２４ｂ及び回動側面部２４ｃにそれぞれ取り付けるようにしてもよい。
【００２８】
箱本体外郭部２４の床面部２４ａ、側面部２４ｂ及び回動側面部２４ｃにおける各仕切り部２５ａ、２５ｂ、２５ｃには、すべてに跨ってそれぞれ弾性シート２６、２７、２８が設けられる。弾性シート２６、２７、２８は、たるみを持たせた状態で張られていてもよい。弾性シート２６、２７、２８としては、薄く、強くかつ振動吸収性（弾力性）に富むことなどが要求され、例えば熱可塑性ポリウレタンなどが使われることは前述の実施の形態と同様である。弾性シート２６、２７、２８の両端は、複数の仕切り部２５ａ、２５ｂ、２５ｃの両端に位置する仕切り部２５ａ、２５ｂ、２５ｃ又は床面部２４ａ、側面部２４ｂ及び回動側面部２４ｃの両端側に接着剤その他の手段により固定される。
【００２９】
蓋体２３の外郭をなす蓋体外郭部２９は、図９（ａ）に示すように、平板状をなす天井部２９ａの両端に端面部２９ｂを設けてなる。天井部２９ａの内側面には、山形をなす仕切り部３０が複数設けられる。この仕切り部３０も天井部２９ａに直接形成してもよいし、別部材で形成して取り付けるようにしてもよい。複数の仕切り部３０に跨って弾性シート３１が張られる。
【００３０】
次に、この梱包箱２１による物品の梱包について説明する。
図９（ｂ）に示す物品１０は、箱本体２２の床面部２２ａの各仕切り部２５ａ間において弾性シート２６上に置かれる。次に、回動側壁部２４ｃが回動されて側壁部２４ｂと対向するように立ち上げられる。つまり、物品１０は、その下面は弾性シート２６により支持され、両側部が、側面部２４ｂ側の弾性シート２７と回動側面部２４ｃ側の弾性シート２８とにより挟み付けられる如く保持される。
【００３１】
次に、箱本体２２に蓋体２３かぶせられる。蓋体２３が箱本体２２にかぶせられることにより、天井部２９ａに張られている弾性シート３１が物品１０を上から押え付ける。つまり、物品１０は、上下及び両側方の四方から弾力的に支持され、極めて安定した状態で支持されることになる。しかも、弾性シート２６、２７、２８及び３１と、箱本体２２の床面部２４ａ、側面部２４ｂ、２４ｃ及び蓋体２３の天井部２９ａとの間には十分な空間が確保されているので、梱包箱２１に衝撃力が加わって物品１０が揺れたとしても床面部２４ａ、側面部２４ｂ、２４ｃ及び蓋体２３の天井部２９ａに当たることはない。
【００３２】
箱本体２２と蓋体２３とが合わされた状態で、箱本体２２と蓋体２３とが分離しないように、両者はなんらかの結合手段により保持される。結合手段としては種々のものが考えられるが、例えば梱包箱２１の周囲にテープを巻き付けたり、ゴムなどの弾力性を有するリングを嵌めたりすることなどが考えられる。
【００３３】
この梱包箱２１による物品１０の輸送後、物品１０を取り出すには、結合手段を外して箱本体２２から蓋体２３を分離し、更に箱本体２２の回動側面部２４ｃを回動させて水平に倒す。つまり、図９（ｃ）に示すように、物品１０が取り出せる状態となる。
【００３４】
物品１０を取り出した後、箱本体２２、蓋体２３は回収される。箱本体２２においては、箱本体外郭部２４の側壁部２４ｂも図９（ｃ）中に二点鎖線で示すように水平に倒される。そして、仕切り部２５ａ、２５ｂ、２５ｃが別部材である場合には、それらを弾性シート２６、２７、２８と共に取り外した後展開される。蓋体２２は、仕切り部３０が別部材で形成されている場合には、それが取り外された後展開される。
【００３５】
梱包箱２１は、箱本体２２及び蓋体２３は以上のように展開されて回収され、再度組み立てられて使用される。
【００３６】
この実施の形態３に係る梱包箱２１によれば、箱本体２２と蓋体２３とからなるので、構成が極めて簡素化され、構成部品が極めて少なくなる。物品１０は、箱本体２２側の３つの弾性シート２６、２７、２８及び蓋体２３側の弾性シート３１より、四方から弾力的に保持されるので、梱包箱２１に衝撃力が加わったとしても、弾性シート２６、２７、２８及び３１により吸収され、物品１０は安全確実に保持される。複数並ぶ各仕切り部２５ａ、２５ｂ、２５ｃ、３０間にそれぞれ物品１０を収納できるので、多数の物品１０を収納することができる。箱本体２２と蓋体２３は回収して再使用できるので、リサイクルの面ですぐれている。繰り返し使用できる箱本体２２側の弾性シート２６、２７、２８及び蓋体２３側の弾性シート３１が緩衝材となるので、発泡スチロールやパルプモールドが不要となり廃材を削減でき、環境に配慮したものとなり、緩衝材が不要となることから、金型等を用いた高価な部品がなくなり、コストの面でも有利となる。
【００３７】
実施の形態４．
図１０及び図１１には更に他の実施の形態に係る梱包箱４１及びその使用例を示す。この梱包箱４１はびんを梱包するものである。この梱包箱４１も箱本体４２と蓋体４３とからなる。箱本体４２のＬ字型をなす外郭部４４の床面部４４ａには、図１１に示す、仕切り部４５ａ（第１仕切り部）を有する仕切り部材４５が設けられている。仕切り部４５ａには弾性シート４６がたるみをもって張られている。箱本体４２の外郭部４４の側面部４４ｂにも同様に、仕切り部（第２仕切り部）を有する仕切り部材が設けられ、仕切り部材の仕切り部には弾性シート４７が設けられている。蓋体４３は箱本体４２と同様の構成となっている。つまり、蓋体４３のＬ字型をなす外郭部４８の天井部４８ａには、仕切り部を有する仕切り部材が設けられ、仕切り部には弾性シート４９がたるみをもって張られている。蓋体４３の外郭部４８の側面部４８ｂにも同様に、仕切り部を有する仕切り部材が設けられ、仕切り部材の仕切り部には弾性シート５０が設けられている。
【００３８】
この実施の態様４に係る梱包箱４１において、びん５１を収納する際には、箱本体４２は、図１０に示すように、箱本体４２が斜めとなるように台５２に設置される。つまり、床面部４４ａが斜めとなり、びん５１の挿入収納が極めて容易となる。図１０、１１においては、びん５１の収納方向を矢印で示してある。
【００３９】
びん５１の収納後は、箱本体４２に蓋体４３をかぶせることにより、びん５２は弾性シート４６、４７、４９、５０により四方から弾力的に保持される。箱本体４２に蓋体４３をかぶせた後は適当な結合手段により両者は一体とされる。梱包箱４１によるびん５１の輸送後は、他の実施の形態と同様に、分解されて回収される。
【００４０】
この実施の形態４はびんの梱包箱に適用したもので、前述した実施の形態１〜３と同様の効果を奏するだけでなく、びんの梱包時に箱本体４１を斜めに設置することにより、びん５１を上下方向に挿入する場合に比べてびん５１に衝撃を与えることなく箱本体４１上に収納することができる。つまり、びん５１などのように衝撃を嫌うものにあっては、梱包時の箱本体の状態を工夫することによって、複数方向から弾性シートによって支えるという特徴による効果がより発揮されるのである。
【図面の簡単な説明】
【００４１】
【図１】この発明の実施の形態１に係る梱包箱の分解図である。
【図２】実施の形態１に係る梱包箱を組み立てた状態の概略斜視図である。
【図３】実施の形態１に係る梱包箱を組み立てる前の状態の概略横断面図である
【図４】実施の形態１に係る梱包箱を組み立てた状態の概略横断面図である。
【図５】実施の形態１に係る梱包箱の箱本体内に物品を置いた状態の概略正面図である。
【図６】実施の形態１に係る梱包箱の仕切り部材及びその展開状態を示す斜視図である。
【図７】実施の形態１に係る梱包箱の蓋体を展開し折り畳む様子を示す斜視図である。
【図８】実施の形態２に係る梱包箱の蓋体の向きを異にする斜視図である。
【図９】実施の形態３に係る梱包箱の分解斜視図である。
【図１０】実施の形態４に係る梱包箱の概略側面図である。
【図１１】実施の形態４に係る梱包箱の一部の斜視図である。
【符号の説明】
【００４２】
１，２１，４１  梱包箱、２，２２  箱本体、３，１１，２３  蓋体、４  箱本体外郭部、５  仕切り部材、５ａ，５ｂ，２５ａ，２５ｂ，２５ｃ，３０  仕切り部、６，７，９，２６，２７，２８，３１  弾性シート、８  蓋体外郭部、１０  物品、１２  窓。
【図１】
2008068906.tif 000003
【図２】
2008068906.tif 000004
【図３】
2008068906.tif 000005
【図４】
2008068906.tif 000006
【図５】
2008068906.tif 000007
【図６】
2008068906.tif 000008
【図７】
2008068906.tif 000009
【図８】
2008068906.tif 000010
【図９】
2008068906.tif 000011
【図１０】
2008068906.tif 000012
【図１１】
2008068906.tif 000013